(57)【要約】立体的な形状に形成する際の編成編地におけるシューズタン部の左右の拡張端と本体部の前端部における靴底の左右両位置との接合状態が仮保持されるようにして、接合作業の簡単化及び作業時間の短縮化を図ることができるフットウェアを提供する。横編機で編成した編成編地（２）をそのシューズタン部（２０）の左右の拡張端（２０１）と本体部（２３）の前端部における靴底（２３１）の左右両位置との接合によって立体的な形状に形成するフットウェアを前提とする。シューズタン部（２０）の左右の拡張端（２０１）から左右方向外方へ延設された差し込み片（２５）と、本体部（２３）の前端部における靴底（２３１）の左右両位置より踵部（２４）側に向かって直線状に延び、各差し込み片（２５）を差し込んで仮保持する差し込み口（２６）とを備え、当該両者が仮保持した状態から強固な接合状態となるように、各差し込み片（２５）をアウターソールで強固に接合する。
2017029957.tif 000002
【特許請求の範囲】
【請求項１】
少なくとも前後一対の針床を備える横編機により編成された単数又は複数の編成編地を互いに必要とされる接合部分同士の接合によって立体的な形状に形成するフットウェアであって、  前記編成編地の接合部分同士は、そのうちの少なくとも一方からの編成によって延設された第１仮保持部と、他方に編成されて設けられ、前記第１仮保持部を仮保持する第２仮保持部とを備えており、  前記両仮保持部のうちの少なくとも第１仮保持部が、当該両仮保持部により前記編成編地の接合部分同士が仮保持した状態から強固な接合状態となるように接合手段を用いて強固に接合されていることを特徴とするフットウェア。
【請求項２】
前記第１仮保持部としては差し込み片が適用されている一方、前記第２仮保持部としては差し込み口が適用されており、  前記差し込み片には、当該差し込み片を前記差し込み口に差し込んだ際の抜けを抑制する返しが設けられている請求項１に記載のフットウェア。
【請求項３】
前記差し込み口に差し込まれた前記差し込み片は、前記編成編地の互いの接合部分同士を接合した際に、足の裏側に位置している請求項２に記載のフットウェア。
【請求項４】
前記編成編地のうちの少なくとも接合部分及び前記第１及び第２仮保持部を編成する編糸としては、熱融着糸が適用されている請求項１〜請求項３のいずれか１つに記載のフットウェア。
【発明の詳細な説明】
【技術分野】
【０００１】  本発明は、少なくとも前後一対の針床を備える横編機により編成された編成編地を互いに必要とされる接合部分同士の接合によって立体的な形状に形成するフットウェアに関し、詳しくは、互いの接合部分同士の接合手段による強固な接合を簡単かつ迅速に行えるようにする対策に係る。
【背景技術】
【０００２】  従来より、この種のフットウェアとしては、編成された単一の編成編地を、互いの接合部分同士を縫製などの接合手段による接合によって立体的な形状に形成したものが知られている（特許文献１参照）。
【先行技術文献】
【特許文献】
【０００３】
【特許文献１】特許第５１６６４３１号公報
【発明の概要】
【発明が解決しようとする課題】
【０００４】  ところが、前記従来のものでは、編成編地の接合部分同士を縫製などの接合手段によって接合する場合、その接合手段による接合を完了するまでの間、作業者自身が接合部分同士の接合状態を仮保持する必要がある。そのため、作業者が接合部分同士の接合状態を仮保持しながら当該接合部分同士を接合する接合作業が非常に煩わしい上、時間を要することになる。【０００５】  この接合作業は、編成編地が平面状であれば、当該編成編地が単一又は複数であったとしても、互いに必要とされる接合部分同士の接合によって立体的な形状に変形させなければならない。そのため、作業者自身が平面状の編成編地を立体的な形状に変形させつつ接合部分同士の接合状態を仮保持しながら当該接合部分同士を接合する接合作業にさらに困難性が増してより煩わしい上、さらに時間を要することになる。【０００６】  本発明の目的は、立体的な形状のフットウェアを形成する際の編成編地の接合部分同士による接合状態が仮保持されるようにして、接合部分同士の接合作業の簡単化及び作業時間の短縮化を図ることができるフットウェアを提供することにある。
【課題を解決するための手段】
【０００７】  前記目的を達成するため、本発明では、少なくとも前後一対の針床を備える横編機により編成された単一又は複数の編成編地を互いに必要とされる接合部分同士の接合によって立体的な形状に形成するフットウェアを前提とする。更に、前記編成編地の接合部分同士は、そのうちの少なくとも一方からの編成によって延設された第１仮保持部と、他方に編成されて設けられ、前記第１仮保持部を仮保持する第２仮保持部とを備える。そして、前記両仮保持部のうちの少なくとも第１仮保持部を、当該両仮保持部により前記編成編地の接合部分同士が仮保持した状態から強固な接合状態となるように接合手段を用いて強固に接合することを特徴としている。【０００８】  また、前記第１仮保持部として差し込み片を適用する一方、前記第２仮保持部として差し込み口を適用する。そして、前記差し込み片に、当該差し込み片を前記差し込み口に差し込んだ際の抜けを抑制する返しを設けることがこのましい。【０００９】  また、前記差し込み口に差し込まれた前記差し込み片を、前記編成編地の互いの接合部分同士を接合した際に、足の裏側に位置させることがこのましい。【００１０】  更に、前記編成編地のうちの少なくとも接合部分及び前記第１及び第２仮保持部を編成する編糸として、熱融着糸を適用することがこのましい。
【発明の効果】
【００１１】  編成編地の接合部分同士を、そのうちの少なくとも一方から延設された第１仮保持部と、他方で第１仮保持部を仮保持する第２仮保持部とによって、互いに仮保持した状態から強固な接合状態とするように、接合手段を用いて少なくとも第１仮保持部を強固に接合することで、編成編地の互いの接合部分同士が強固な接合状態となる。これにより、互いの接合部分同士が強固な接合状態となるまでの間、両仮保持部によって互いの接合部分同士が仮保持した状態に保たれ、接合部分同士を接合する際に作業者自身が仮保持状態に保つ必要がなく、接合部分同士を接合する接合作業の簡単化及び作業時間の短縮化を図ることができる。【００１２】  また、第１仮保持部として適用した差し込み片に、第２仮保持部として適用した差し込み口に差し込んだ際の抜けを抑制する返しを設けることで、互いの接合部分同士の接合を完了するまでの間、接合部分同士の仮保持状態が円滑に保たれる。これにより、接合部分同士を接合する接合作業の簡単化及び作業時間の短縮化をより図ることができる。【００１３】  また、差し込み口に差し込まれた差し込み片を、編成編地の互いの接合部分同士を接合した際に、足の裏側に位置させることで、足の裏側に接合されるソール部材などの接合手段によって差し込み片を目立たないように目隠しできる。しかも、差し込み片が足裏側の編成編地の下面に位置していると、接着剤などの接合手段を用いて足の裏側の編成編地に差し込み片を強固に接合したり、足裏側の編成編地の下面に接合されるソール部材などによって強固に接合することができる。【００１４】  更に、編成編地のうちの少なくとも接合部分及び第１及び第２仮保持部を編成する編糸として熱融着糸を適用することで、仮保持後に熱を加えて熱処理した際に第１及び第２仮保持部が互いに溶けてくっつき、両仮保持部同士の離脱を防いで互いに腰を持たせることも可能となり、接合手段による接合を完了するまでの間、接合部分同士がそれぞれ仮保持部によって仮保持した状態に円滑に保たれる。
【図面の簡単な説明】
【００１５】
【図１】本発明の実施の形態に係るフットウェアの斜視図である。
【図２】図１のフットウェアの編成手順を示す模式図である。
【図３】図１のフットウェアの差し込み片の編成過程を説明する説明図であって、（ａ）は差し込み片の半分の編成図を示し、（ｂ）は差し込み片の成形図を編成図に合わせて模式的に示している。
【図４】図２のフットウェアの編成編地におけるシューズタン部の左右の拡張端の各差し込み片を本体部の前端部における靴底の左右両位置に仮保持する過程を模式的に説明する説明図であって、（ａ）は差し込み片を差し込み口に差し込む前の状態を示し、（ｂ）は差し込み片を差し込み口に差し込んだ状態を示している。
【図５】本実施の形態の変形例に係るフットウェアの２つの編成編地を差し込み口に差し込まれる差し込み片により仮保持する前の状態を示す斜視図である。
【図６】図５のフットウェアの２つの編成編地を差し込み口に差し込んだ差し込み片により仮保持した状態で足裏側の編成編地を下方から見た底面図である。
【発明を実施するための形態】
【００１６】  以下、本発明の実施の形態を図面に基づいて説明する。
【００１７】  図１は本発明の実施の形態に係るフットウェアの斜視図、図２はフットウェアの編成手順を示す模式図をそれぞれ示している。
【００１８】  図１及び図２において、フットウェア１は、少なくとも前後一対の針床を備え、前後の針床間で編目の目移し可能な横編機（図示せず）によって編成された単一の編成編地２により形成されている。この編成編地２は、足の甲側に位置するシューズタン部２０と、このシューズタン部２０の前端に連続する甲側爪先部２１と、この甲側爪先部２１の前端に連続して靴底側に回り込む裏側爪先部２２と、この裏側爪先部２２の後端に連続する本体部２３と、この本体部２３の後端に連続する踵部２４とを備え、外履き用のフットウェア１を形成している。これらシューズタン部２０、甲側爪先部２１、裏側爪先部２２、本体部２３、及び踵部２４は、無縫製で一体に編成される。このとき、編成編地２を編成する編糸としては、熱融着糸Ｋが適用されている。
【００１９】  シューズタン部２０は、編成編地２の編み出し端とされ、シューズタン部２０の先端（後端）から編み出して左右方向にほぼ均等な編幅で前半部を編成する。シューズタン部２０の後半部には、左右方向外方へそれぞれ編成により延設された第１仮保持部としての左右一対の差し込み片２５，２５が設けられている。各差し込み片２５は、シューズタン部２０の後半部において編幅を徐々に増やして左右方向外方へ編地を拡張した一方の接合部分としての拡張端２０１に編成される。この差し込み片２５には、当該差し込み片２５を後述する差し込み口２６に差し込んだ際の抜けを抑制する返し２５１が設けられている。この返し２５１を備えた差し込み片２５の編成については後述する。なお、シューズタン部２０を編成編地２の編み出し端としたが、踵部２４を逆台形状にするなど、一部形状を変更すれば、踵部側から編み出すことも可能である。
【００２０】  シューズタン部２０は、その後半部の拡張端２０１以降の編幅を徐々に減らして編地の拡張を左右方向内方へ収束させ、その中央部を残して当該部位の編成を終える。
【００２１】  甲側爪先部２１は、シューズタン部２０の前端（後半部の末端）の中央部より段階的に編幅を増やして爪先部の幅を満たす編幅となるまで編成して、シューズタン部２０の後半部の前端（末端）に接続する。そして、甲側爪先部２１は、爪先部の幅を満たす編幅となった時点から編幅を徐々に減らしながら中央部のみを残すように円弧状の爪先形状に編成する。裏側爪先部２２は、甲側爪先部２１の前端（末端）の中央部から編幅を徐々に増やしながら円弧状の爪先形状に編成して、甲側爪先部２１の前端より互いの円弧状の爪先形状同士を接続する。
【００２２】  本体部２３は、裏側爪先部２２の後端（末端）より編成され、左右方向中央部の靴底２３１を基準にして内増やししながら編幅を左右方向に増やして、靴底２３１の左右側方の両側部２３２から左右の甲被部２３３まで連続して編成する。このとき、本体部２３の左右の甲被部２３３には、靴紐用の孔２３４が前後方向等間隔置きの５箇所にそれぞれ設けられている。この場合、靴紐用の各孔２３４は、目移しを用いたメッシュなどの従来より公知の編成方法により編成される。
【００２３】  また、本体部２３は、甲被部２３３以降の編幅を踝下付近では両側部２３２の編幅まで内減らししながら徐々に減らして、甲被部２３３のない両側部２３２を編成している。
【００２４】  踵部２４は、本体部２３の後端（靴底２３１の後端）に連続する左右の第１踵片２４１と、各第１踵片２４１の後端に連続する左右の第２踵片２４２と、各第２踵片２４２の後端に連続する単一の第３踵片２４３とを備えている。各第１踵片２４１は、本体部２３の後端の中央部より編幅を徐々に増やして左右両方向外方へ編地を拡張し、両側部２３２とほぼ同じ編幅まで拡張したときに編幅を徐々に減らして左右方向内方へ編地を収束させるように編成されている。また、各第２踵片２４２は、各第１踵片２４１の後端より両側部２３２とほぼ同じ編幅で左右方向へ長い帯状に編成されている。更に、第３踵片２４３は、各第２踵片２４２の後端中央部より両側部２３２の略半分弱の編幅で後方へ長い帯状に編成されている。
【００２５】  このとき、各第１踵片２４１の前端は、本体部２３の後端より編幅を徐々に増やしながら編成する際に本体部２３の両側部２３２後端にそれぞれ接続される。また、各第２踵片２４２の前端は、各第１踵片２４１の後端より左右方向へ長い帯状に編成する際に各第１踵片２４１の後端にそれぞれ接続される。更に、第３踵片２４３の左右両端は、各第２踵片２４２の後端中央部より後方へ長い帯状に編成する際に各第２踵片２４２の後端にそれぞれ接続される。
【００２６】  図３はフットウェア１の差し込み片２５の編成過程を説明する説明図であって、（ａ）は差し込み片２５の半分の編成図を示し、（ｂ）は差し込み片２５の成形図を示している。
【００２７】  図３の（ａ）のＳ１において、図示しない給糸口からの熱融着糸Ｋを、紙面右方向に向けて１針置きに前針床ＦＢ及び後針床ＢＢの編針を用いて編成編地２のシューズタン部２０の後半部において編地を拡張する拡張端２０１の先端まで編成し、そのまま紙面右方向に向けて前後の針床で１針置きに掛け目を形成し、Ｓ２で、紙面左方向に向けてＳ１で掛け目を形成しなかった編針に対して１針置きに掛け目を形成し、図３の（ｂ）に示すような差し込み片２５の編み出しαを形成する。
【００２８】  Ｓ３及びＳ４では、編針に係止した掛け目に続く新たな編目を引き返し編成により形成する。この場合、両面編みによる差し込み片２５の編成を示している。
【００２９】  Ｓ５〜Ｓ７では、差し込み片２５の編幅を徐々に増やしながら引き返し編成することで、返し２５１となる略三角形状の編地を形成している。
【００３０】  Ｓ８では、差し込み片２５の一方の半身の編幅となるまで引き返し編成すると、先端から戻りながらシューズタン部２０の後半部の拡張端２０１先端までの編成に続けて差し込み片２５の返し２５１の一方の半身を接続する。このとき、拡張端２０１から返し２５１に渡り糸が生じて編みにくい場合があるため、シューズタン部２０の後半部の拡張端２０１の先端まで編成した熱融着糸Ｋを給糸する給糸口に代えて新たな給糸口からの給糸によって、差し込み片２５が編成されるようにしてもよい。また、シューズタン部２０の後半部の拡張端２０１の先端まで編成した熱融着糸Ｋを一旦切断してから、差し込み片２５を編み始めてもよい。
【００３１】  その後、差し込み片２５の返し２５１の他方の半身の編成を逆の手順で行い、最後に伏目することで、差し込み片２５の全身の編成が完了する。なお、差し込み片２５を先端から編み出して拡張端２０１側に向かって編成することも可能である。この場合、差し込み片２５の先端から順次編幅を増やしていき、両側の返しの部分で伏目を行うとともに、中央部の編目を拡張端２０１の編成コース毎にその端部の編目に順次重ねて接続していけばよい。
【００３２】  また、本体部２３の前端部には、裏側爪先部２２の後端とほぼ同じ編幅の位置で各差し込み片２５をそれぞれ箇々に差し込んで仮保持する第２仮保持部としての左右一対の差し込み口２６，２６が設けられている。各差し込み口２６は、踵部２４側に向かって直線状に延び、従来より公知のスリットの編成方法により編成される。
【００３３】  図４はフットウェア１の編成編地２におけるシューズタン部２０の左右の拡張端２０１の各差し込み片２５を本体部２３の前端部における靴底２３１の左右両位置に仮保持する過程を模式的に説明する説明図であって、（ａ）は差し込み片２５を差し込み口２６に差し込む前の状態を示し、（ｂ）は差し込み片２５を差し込み口２６に差し込んだ状態を示している。そして、シューズタン部２０の後半部より左右方向外方へ編地を拡張した各拡張端２０１の差し込み片２５が、本体部２３の前端部における靴底２３１の左右両位置（他方の接合部分）で踵部２４側に向かって直線状に延びる差し込み口２６に差し込まれ、その際の差し込み片２５の抜けを返し２５１により抑制している。このとき、シューズタン部２０の左右の拡張端２０１と本体部２３の前端部における左右両位置とが、各差し込み口２６に差し込んだ差し込み片２５の返し２５１によって円滑に仮保持される。
【００３４】  また、各差し込み口２６に差し込んだ差し込み片２５は、本体部２３の靴底２３１の下面において仮保持されている。このため、本体部２３の靴底２３１の下面に接合される接合手段としての樹脂製などのアウターソール２７を用いて、本体部２３の靴底２３１の下面に位置する各差し込み片２５が強固に接合され、シューズタン部２０の左右の拡張端２０１と本体部２３の前端部における靴底２３１の左右両位置とが互いに仮保持した状態から強固な接合状態となる。これにより、シューズタン部２０の左右の拡張端２０１と本体部２３の前端部における靴底２３１の左右両位置とが強固な接合状態となるまでの間、各差し込み口２６に差し込んだ差し込み片２５によって互いに仮保持した状態に保たれ、シューズタン部２０の左右の拡張端２０１と本体部２３の前端部における靴底２３１の左右両位置とを接合する際に作業者自身が仮保持状態に保つ必要がなく、当該両者を接合する接合作業の簡単化及び作業時間の短縮化を図ることができる。しかも、差し込み片２５が本体部２３の靴底２３１の下面に位置していることにより、アウターソール２７の接合によって、各差し込み片２５を目立たないように目隠しできる。
【００３５】  また、編成編地２が熱融着糸Ｋにより編成されているので、熱を加えた際に各差し込み片２５が本体部２３の靴底２３１の下面に溶けてくっつき、各差し込み口２６からの抜けを防いで互いに腰を持たせることも可能となり、アウターソール２７による接合を完了するまでの間、各差し込み片２５及び各差し込み口２６によって、シューズタン部２０の左右の拡張端２０１と本体部２３の前端部における靴底２３１の左右両位置とを仮保持した状態が円滑に保たれる。これにより、シューズタン部２０の左右の拡張端２０１と本体部２３の前端部における靴底２３１の左右両位置との接合作業の簡単化及び接合時間の短縮化をさらに図ることができる。
【００３６】  なお、前記実施の形態では、フットウェア１を単一の編成編地２により形成したが、図５及び図６に示すように、例えばＷＯ２０１５／０３７５４０Ａ１で示すような編成方法を用いて足の甲側の部分を覆うアッパー側編成編地４１（編成編地）を編成し、これと足の裏側を覆うアンダー側編成編地４２（編成編地）とでフットウェア４が形成されていてもよい。アッパー側編成編地４１の下縁の所定間隔置きの１０箇所には、それぞれ延設された差し込み片２５が設けられている。一方、アンダー側編成編地４２の周縁の所定間隔置きの１０箇所には、それぞれ周縁に沿って直線状に延びる差し込み口２６が設けられている。そして、各差し込み片２５は、返し２５１を備え、各差し込み口２６に差し込まれてアンダー側編成編地４２の下面に位置している。これにより、各差し込み口２６に差し込んだ差し込み片２５によりアッパー側編成編地４１の下縁とアンダー側編成編地４２の周縁とが仮保持した状態から強固な接合状態となるように、各差し込み片２６をアンダー側編成編地４２の下面に接合されるアウターソール２７を用いて強固に接合することができる。
【００３７】  また、前記実施の形態では、フットウェア１の編成編地２のシューズタン部２０の左右の拡張端２０１の各差し込み片２５を本体部２３の前端部における靴底２３１の左右両位置に仮保持した状態からアウターソール２７により強固な接合状態にしたが、各差し込み片に接合手段としての接着剤を塗布することで、各差し込み片が本体部の靴底に仮保持された状態から強固な接合状態となるように、当該各差し込み片が本体部の靴底の下面に強固に接合されていてもよい。  このとき、各差し込み片の接着剤を用いた接合によってフットウェアが完成する場合には、各差し込み口に差し込まれた各差し込み片の形状が、丸形、矩形、又は足底の形状を複数枚で模すような端切れ状であってもよく、その数量についても限定されることはない。  しかも、このような各差し込み片を編成する際に、ガーター編みや裏目編みの他、編糸に生ゴム糸を加えたりすることで、滑り止めとして機能させていてもよい。
【００３８】  また、前記実施の形態の変形例では、アッパー側編成編地４１の下縁よりそれぞれ差し込み片２５を延設する一方、アンダー側編成編地４２の周縁に沿ってそれぞれ直線状に延びる差し込み口２６を設けたが、アッパー側編成編地の下縁に沿ってそれぞれ直線状に延びる差し込み口が設けられている一方、アンダー側編成編地の周縁よりそれぞれ差し込み片が延設されていてもよい。  この場合、各差し込み口に差し込んだ差し込み片がアンダー側編成編地の上面に位置していれば、アンダー側編成編地の上面に接合される接合手段としてのソールカバーを用いて、各差し込み片が強固に接合されていてもよい。一方、各差し込み口に差し込んだ差し込み片がアッパー側編成編地の内面に沿って起立していれば、アッパー側編成編地の内面に接合される接合手段としてのインナーカバーを用いて、各差し込み片が強固に接合されていてもよい。
【００３９】  また、前記実施の形態では、シューズタン部２０の左右の拡張端２０１と本体部２３の前端部における靴底２３１の左右両位置とを、各差し込み片２５を差し込み口２６に差し込んで仮保持したが、編成編地の接合部分同士が、その双方からそれぞれ延設された第１及び第２仮保持部を互いに結わえるなどして仮保持されていてもよい。
【００４０】  更に、前記実施の形態では、編成編地２を編成する編糸として熱融着糸Ｋを適用したが、編成編地のうちの少なくともシューズタン部の左右の拡張端と本体部の前端部における靴底の左右両位置、並びに各差し込み片及び各差し込み口が熱融着糸によって編成されていてもよい。
【符号の説明】
【００４１】１        フットウェア２        編成編地２０１    シューズタン部の左右の拡張端（接合部分）２３１    本体部の前端部における靴底の左右両位置（接合部分）２５      差し込み片（第１仮保持部）２５１    返し２６      差し込み口（第２仮保持部）２７      アウターソール（接合手段）４        フットウェア４１      アッパー側編成編地（編成編地）４２      アンダー側編成編地（編成編地）Ｋ        熱融着糸
【図１】
2017029957.tif 000003
【図２】
2017029957.tif 000004
【図３】
2017029957.tif 000005
【図４】
2017029957.tif 000006
【図５】
2017029957.tif 000007
【図６】
2017029957.tif 000008
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
少なくとも前後一対の針床を備える横編機により編成された単数又は複数の編成編地を互いに必要とされる接合部分同士の接合によって立体的な形状に形成するフットウェアであって、
前記編成編地の接合部分同士は、そのうちの少なくとも一方からの編成によって延設された第１仮保持部と、他方に編成されて設けられ、前記第１仮保持部を仮保持する第２仮保持部とを備えており、
前記両仮保持部のうちの少なくとも第１仮保持部が、当該両仮保持部により前記編成編地の接合部分同士が仮保持した状態から強固な接合状態となるように接合手段を用いて強固に接合されているとともに
前記第１仮保持部としては差し込み片が適用されている一方、前記第２仮保持部としては差し込み口が適用されており、
前記差し込み片には、当該差し込み片を前記差し込み口に差し込んだ際の抜けを抑制する返しが設けられていることを特徴とするフットウェア。
【請求項２】
（削除）
【請求項３】
前記差し込み口に差し込まれた前記差し込み片は、前記編成編地の互いの接合部分同士を接合した際に、足の裏側に位置している請求項１に記載のフットウェア。
【請求項４】
前記編成編地のうちの少なくとも接合部分及び前記第１及び第２仮保持部を編成する編糸としては、熱融着糸が適用されている請求項１又は請求項３に記載のフットウェア。
【手続補正２】
【補正対象書類名】明細書
【補正対象項目名】０００２
【補正方法】変更
【補正の内容】
【０００２】
［０００６］
本発明の目的は、立体的な形状のフットウェアを形成する際の編成編地の接合部分同士による接合状態が仮保持されるようにして、接合部分同士の接合作業の簡単化及び作業時間の短縮化を図ることができるフットウェアを提供することにある。
課題を解決するための手段
［０００７］
前記目的を達成するため、本発明では、少なくとも前後一対の針床を備える横編機により編成された単一又は複数の編成編地を互いに必要とされる接合部分同士の接合によって立体的な形状に形成するフットウェアを前提とする。更に、前記編成編地の接合部分同士は、そのうちの少なくとも一方からの編成によって延設された第１仮保持部と、他方に編成されて設けられ、前記第１仮保持部を仮保持する第２仮保持部とを備える。そして、前記両仮保持部のうちの少なくとも第１仮保持部を、当該両仮保持部により前記編成編地の接合部分同士が仮保持した状態から強固な接合状態となるように接合手段を用いて強固に接合している。
［０００８］
更に、前記第１仮保持部として差し込み片を適用する一方、前記第２仮保持部として差し込み口を適用する。そして、前記差し込み片に、当該差し込み片を前記差し込み口に差し込んだ際の抜けを抑制する返しを設けることを特徴としている。
［０００９］
また、前記差し込み口に差し込まれた前記差し込み片を、前記編成編地の互いの接合部分同士を接合した際に、足の裏側に位置させることがこのましい。
［００１０］
更に、前記編成編地のうちの少なくとも接合部分及び前記第１及び第２仮保持部を編成する編糸として、熱融着糸を適用することがこのましい。
発明の効果
［００１１］
編成編地の接合部分同士を、そのうちの少なくとも一方から延設された第１仮保持部と、他方で第１仮保持部を仮保持する第２仮保持部とによって、互いに仮保持した状態から強固な接合状態とするように、接合手段を用いて少なくとも第１仮保持部を強固に接合することで、編成編地の互いの接合部
【手続補正３】
【補正対象書類名】明細書
【補正対象項目名】０００３
【補正方法】変更
【補正の内容】
【０００３】
分同士が強固な接合状態となる。これにより、互いの接合部分同士が強固な接合状態となるまでの間、両仮保持部によって互いの接合部分同士が仮保持した状態に保たれ、接合部分同士を接合する際に作業者自身が仮保持状態に保つ必要がなく、接合部分同士を接合する接合作業の簡単化及び作業時間の短縮化を図ることができる。
［００１２］
そして、第１仮保持部として適用した差し込み片に、第２仮保持部として適用した差し込み口に差し込んだ際の抜けを抑制する返しを設けることで、互いの接合部分同士の接合を完了するまでの間、接合部分同士の仮保持状態が円滑に保たれる。これにより、接合部分同士を接合する接合作業の簡単化及び作業時間の短縮化をより図ることができる。
［００１３］
また、差し込み口に差し込まれた差し込み片を、編成編地の互いの接合部分同士を接合した際に、足の裏側に位置させることで、足の裏側に接合されるソール部材などの接合手段によって差し込み片を目立たないように目隠しできる。しかも、差し込み片が足裏側の編成編地の下面に位置していると、接着剤などの接合手段を用いて足の裏側の編成編地に差し込み片を強固に接合したり、足裏側の編成編地の下面に接合されるソール部材などによって強固に接合することができる。
［００１４］
更に、編成編地のうちの少なくとも接合部分及び第１及び第２仮保持部を編成する編糸として熱融着糸を適用することで、仮保持後に熱を加えて熱処理した際に第１及び第２仮保持部が互いに溶けてくっつき、両仮保持部同士の離脱を防いで互いに腰を持たせることも可能となり、接合手段による接合を完了するまでの間、接合部分同士がそれぞれ仮保持部によって仮保持した状態に円滑に保たれる。
図面の簡単な説明
［００１５］
［図１］本発明の実施の形態に係るフットウェアの斜視図である。
［図２］図１のフットウェアの編成手順を示す模式図である。
［図３］図１のフットウェアの差し込み片の編成過程を説明する説明図であって、（ａ）は差し込み片の半分の編成図を示し、（ｂ）は差し込み片の成形図
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
少なくとも前後一対の針床を備える横編機により編成された単数又は複数の編成編地を互いに必要とされる接合部分同士の接合によって立体的な形状に形成するフットウェアであって、
前記編成編地の接合部分同士は、そのうちの少なくとも一方からの編成によって延設された第１仮保持部と、他方に編成されて設けられ、前記第１仮保持部を仮保持する第２仮保持部とを備えており、
前記両仮保持部のうちの少なくとも第１仮保持部が、当該両仮保持部により前記編成編地の接合部分同士が仮保持した状態から強固な接合状態となるように接合手段を用いて強固に接合されているとともに、
前記第１仮保持部としては差し込み片が適用されている一方、前記第２仮保持部としては差し込み口が適用されており、
前記差し込み片には、当該差し込み片を前記差し込み口に差し込んだ際の抜けを抑制する返しが設けられていることを特徴とするフットウェア。
【請求項２】
前記差し込み口に差し込まれた前記差し込み片は、前記編成編地の互いの接合部分同士を接合した際に、足の裏側に位置している請求項１に記載のフットウェア。
【請求項３】
前記編成編地のうちの少なくとも接合部分及び前記第１及び第２仮保持部を編成する編糸としては、熱融着糸が適用されている請求項１又は請求項２に記載のフットウェア。
【手続補正２】
【補正対象書類名】明細書
【補正対象項目名】０００７
【補正方法】変更
【補正の内容】
【０００７】
前記目的を達成するため、本発明では、少なくとも前後一対の針床を備える横編機により編成された単一又は複数の編成編地を互いに必要とされる接合部分同士の接合によって立体的な形状に形成するフットウェアを前提とする。更に、前記編成編地の接合部分同士は、そのうちの少なくとも一方からの編成によって延設された第１仮保持部と、他方に編成されて設けられ、前記第１仮保持部を仮保持する第２仮保持部とを備える。そして、前記両仮保持部のうちの少なくとも第１仮保持部を、当該両仮保持部により前記編成編地の接合部分同士が仮保持した状態から強固な接合状態となるように接合手段を用いて強固に接合している。
【手続補正３】
【補正対象書類名】明細書
【補正対象項目名】０００８
【補正方法】変更
【補正の内容】
【０００８】
更に、前記第１仮保持部として差し込み片を適用する一方、前記第２仮保持部として差し込み口を適用する。そして、前記差し込み片に、当該差し込み片を前記差し込み口に差し込んだ際の抜けを抑制する返しを設けることを特徴としている。
【手続補正４】
【補正対象書類名】明細書
【補正対象項目名】００１２
【補正方法】変更
【補正の内容】
【００１２】
そして、第１仮保持部として適用した差し込み片に、第２仮保持部として適用した差し込み口に差し込んだ際の抜けを抑制する返しを設けることで、互いの接合部分同士の接合を完了するまでの間、接合部分同士の仮保持状態が円滑に保たれる。これにより、接合部分同士を接合する接合作業の簡単化及び作業時間の短縮化をより図ることができる。
【国際調査報告】
2017029957.tif 000009
2017029957.tif 000010
2017029957.tif 000011
2017029957.tif 000012